(57)【要約】【課題】より簡易な構成で色温度に応じた画質調整を可能にする。【解決手段】蛍光灯タイプに対する光電流特性および白熱灯タイプに対する光電流特性が実質的に同じである第１光センサ１と、蛍光灯タイプに対する光電流特性および白熱灯タイプに対する光電流特性が異なる第２光センサ２と、第１光センサ１の第１出力値と、第２光センサ２の第２出力値とに基づいて、光源が蛍光灯タイプか白熱灯タイプかを判別する判別部３１とを備える。【選択図】図１
2013253852.tif 000002
【特許請求の範囲】
【請求項１】
蛍光灯タイプに対する光電流特性および白熱灯タイプに対する光電流特性が実質的に同じである第１光センサと、
蛍光灯タイプに対する光電流特性および白熱灯タイプに対する光電流特性が互いに異なる第２光センサと、
上記第１光センサの第１出力値と、上記第２光センサの第２出力値とに基づいて、光源が蛍光灯タイプか白熱灯タイプかを判別する判別手段とを備えることを特徴とする光源判別装置。
【請求項２】
上記第１光センサは、可視光の分光感度特性を有し、
上記第２光センサは、可視光および赤外光の分光感度特性を有することを特徴とする請求項１に記載の光源判別装置。
【請求項３】
上記判別手段は、上記第１出力値から照度値を算出し、算出した照度値に対応する判別閾値と上記第２出力値とを比較して、光源タイプを判別することを特徴とする請求項１または２に記載の光源判別装置。
【請求項４】
白熱灯タイプまたは蛍光灯タイプに対する上記第１光センサおよび上記第２光センサの光電流特性が実質的に一致する場合、
上記判別手段は、上記第１出力値と上記第２出力値とが異なるか否かによって、光源タイプを判別することを特徴とする請求項１または２に記載の光源判別装置。
【請求項５】
請求項１〜４の何れか１項に記載の光源判別装置を搭載する表示装置であって、
上記光源判別装置の判別結果に基づいて、蛍光灯モードまたは白熱灯モードに切り替えて画質を調整する画質調整手段を備えることを特徴とする表示装置。
【請求項６】
請求項５に記載の表示装置を備えていることを特徴とするテレビジョン受像機。
【請求項７】
蛍光灯タイプに対する光電流特性および白熱灯タイプに対する光電流特性が実質的に同じである第１光センサの第１出力値と、蛍光灯タイプに対する光電流特性および白熱灯タイプに対する光電流特性が互いに異なる第２光センサの第２出力値と、に基づいて、光源が蛍光灯タイプか白熱灯タイプかを判別する判別ステップを含むことを特徴とする光源判別方法。
【請求項８】
請求項１〜４の何れか１項に記載の光源判別装置を動作させるための制御プログラムであって、コンピュータを上記各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、外光の光源タイプを判別する光源判別装置、光源判別方法、表示装置、テレビジョン受像機、制御プログラムおよび記録媒体に関するものである。
【背景技術】
【０００２】
テレビ等の表示装置において、周囲の明るさなどの視聴環境に応じて表示する画像の画質を調整する機能が種々提案されている。
【０００３】
例えば、周囲の照度を測定し、測定した照度に応じて画質を調整する技術が特許文献１〜３に開示されている。具体的に、特許文献１には、バックライトの照度を測定する照度センサと、外光の照度を測定する照度センサとを用いて、バックライトの照度に対する相対的な外光の照度を算出して、高精度に外光の照度を検出する技術が記載されている。また、特許文献２には、ＴＶに搭載された照度センサと、リモコンに搭載された照度センサとを用いて、外光の照度を高精度に測定する技術が記載されている。また、特許文献３には、複数の照度センサを用いて、外光の照度を高精度に測定する技術が記載されている。
【０００４】
また、より画質を改善するために、色温度または外光の光源種別を特定して、色温度に基づいて画像の画質を調整する技術がある。従来、ＲＧＢセンサ（カラーセンサ）を用いて色温度を測定しており、検出精度を向上させるために複数のＲＧＢセンサを搭載する表示装置もあった。ただ、ＲＧＢセンサは照度センサ（例えば、ＯＰＣ（Organic Photoelectric Conversion）センサ）と比較して高価であり、ＲＧＢセンサを用いた場合、装置のコストが高くなるという問題があった。そこで、特許文献４および５に開示されているような、より安価な構成で色温度または外光の光源種別を判別する技術が開発されている。
【０００５】
特許文献４には、光センサの出力電圧が、交流成分の有無および高周波成分の有無を判別することにより、外光の光源が昼光、白熱灯または蛍光灯であるかを特定する技術が記載されている。特許文献５には、主として可視光を検出する照度センサと、主として赤外光を検出する赤外センサとを用いて、両センサの出力を比較して、外光の色温度を特定する技術が記載されている。
【先行技術文献】
【特許文献】
【０００６】
【特許文献１】特開２００７−６５００４号公報（２００７年３月１５日公開）
【特許文献２】特開２００６−７２２５５号公報（２００６年３月１６日公開）
【特許文献３】特開２００７−３１００９６号公報（２００７年１１月２９日公開）
【特許文献４】特許第３３５９１２９号明細書（２００２年１２月２４日発行）
【特許文献５】特開２０１０−１２４１９７号公報（２０１０年６月３日公開）
【発明の概要】
【発明が解決しようとする課題】
【０００７】
しかしながら、上述のような従来技術は、次のような問題がある。例えば、特許文献４に記載の技術では、高周波成分の有無を判別するためにハイパスフィルタが必要であり、コストが増加すると共に、構成が複雑になるという問題がある。
【０００８】
また、特許文献５に記載の技術では、照度センサおよび赤外センサの出力から、所定回数分の照度値および色合い値の平均値をそれぞれ算出する。そして、照度値および色合い値の平均値の組み合わせに基づいて色温度を５段階で判別する。このように、平均値を算出し、５段階で色温度を判別しているため、色温度の判別処理が複雑であり、処理負荷が大きいという問題がある。
【０００９】
ここで、光源として、一般的に白熱灯または蛍光灯が多く使用されている。そのため、多くの場合、正確な色温度を求めなくとも、光源が白熱灯か蛍光灯かを判別できれば、視聴環境に応じた画質調整を十分に行うことができる。
【００１０】
本発明は、上記の問題点に鑑みてなされたものであり、その目的は、より簡易な構成で色温度に応じた画質調整を可能にする光源判別装置、光源判別方法、表示装置、テレビジョン受像機、制御プログラムおよび記録媒体を実現することにある。
【課題を解決するための手段】
【００１１】
本発明に係る光源判別装置は、上記課題を解決するために、蛍光灯タイプに対する光電流特性および白熱灯タイプに対する光電流特性が実質的に同じである第１光センサと、蛍光灯タイプに対する光電流特性および白熱灯タイプに対する光電流特性が互いに異なる第２光センサと、上記第１光センサの第１出力値と、上記第２光センサの第２出力値とに基づいて、光源が蛍光灯タイプか白熱灯タイプかを判別する判別手段とを備えることを特徴としている。
【００１２】
また、本発明に係る光源判別方法は、上記課題を解決するために、蛍光灯タイプに対する光電流特性および白熱灯タイプに対する光電流特性が実質的に同じである第１光センサの第１出力値と、蛍光灯タイプに対する光電流特性および白熱灯タイプに対する光電流特性が互いに異なる第２光センサの第２出力値と、に基づいて、光源が蛍光灯タイプか白熱灯タイプかを判別する判別ステップを含むことを特徴としている。
【００１３】
上記の構成によれば、２種の光センサの出力に基づいて、光源が蛍光灯タイプか白熱灯タイプかを判別する。そのため、従来と比べて、より簡易な構成で蛍光灯タイプか白熱灯タイプかを判別することができる。
【００１４】
また、照明として使用される光源は、一般的に蛍光灯または白熱灯が多いため、光源が白熱灯か蛍光灯かを判別できれば、視聴環境に応じた画質調整を十分に行うことができる。そのため、判別結果に基づいて、白熱灯タイプに応じた画質調整または蛍光灯タイプに応じた画質調整を行うことにより、視聴環境に応じた画質調整を十分に行うことができる。
【００１５】
よって、より簡易な構成で視聴環境に応じた画質調整を可能にすることができるという効果を奏する。
【００１６】
また、本発明に係る光源判別装置は、上記第１光センサは、可視光の分光感度特性を有し、上記第２光センサは、可視光および赤外光の分光感度特性を有することが好ましい。
【００１７】
また、本発明に係る光源判別装置は、上記判別手段は、上記第１出力値から照度値を算出し、算出した照度値に対応する判別閾値と上記第２出力値とを比較して、光源タイプを判別することが好ましい。
【００１８】
また、本発明に係る光源判別装置は、白熱灯タイプまたは蛍光灯タイプに対する上記第１光センサおよび上記第２光センサの光電流特性が実質的に一致する場合、上記判別手段は、上記第１出力値と上記第２出力値とが異なるか否かによって、光源タイプを判別することが好ましい。
【００１９】
また、本発明に係る表示装置は、上記光源判別装置を搭載する表示装置であって、上記光源判別装置の判別結果に基づいて、蛍光灯モードまたは白熱灯モードに切り替えて画質を調整する画質調整手段を備えることが好ましい。
【００２０】
また、そのような表示装置を備えているテレビジョン受像機も本発明の範疇に含まれる。
【００２１】
なお、上記光源判別装置は、コンピュータによって実現してもよく、この場合には、コンピュータを上記光源判別装置の各手段として動作させることにより、上記光源判別装置をコンピュータにて実現させる制御プログラム、及びそれを記録したコンピュータ読み取り可能な記録媒体も本発明の範疇に入る。
【発明の効果】
【００２２】
以上のように、本発明に係る光源判別装置は、蛍光灯タイプに対する光電流特性および白熱灯タイプに対する光電流特性が実質的に同じである第１光センサと、蛍光灯タイプに対する光電流特性および白熱灯タイプに対する光電流特性が互いに異なる第２光センサと、上記第１光センサの第１出力値と、上記第２光センサの第２出力値とに基づいて、光源が蛍光灯タイプか白熱灯タイプかを判別する判別手段とを備えている構成である。
【００２３】
また、本発明に係る光源判別方法は、蛍光灯タイプに対する光電流特性および白熱灯タイプに対する光電流特性が実質的に同じである第１光センサの第１出力値と、蛍光灯タイプに対する光電流特性および白熱灯タイプに対する光電流特性が互いに異なる第２光センサの第２出力値と、に基づいて、光源が蛍光灯タイプか白熱灯タイプかを判別する判別ステップを含む。
【００２４】
従って、より簡易な構成で視聴環境に応じた画質調整を可能にすることができるという効果を奏する。
【図面の簡単な説明】
【００２５】
【図１】本発明の実施形態を示すものであり、光源判別装置および当該光源判別装置を搭載した表示装置の要部構成の一例を示すブロック図である。
【図２】蛍光灯および白熱灯のスペクトル特性の一例を示す図である。
【図３】上記光源判別装置が有する第１光センサの分光感度特性の一例を示す図である。
【図４】上記第１光センサの光電流の光源依存性の一例を示す図である。
【図５】上記光源判別装置が有する第２光センサの分光感度特性の一例を示す図である。
【図６】上記光源判別装置が有する第２光センサの分光感度特性の他の一例を示す図である。
【図７】上記第２光センサの光電流の光源依存性の一例を示す図である。
【図８】蛍光灯および白熱灯に対する上記第１光センサ１および上記第２光センサ２の光電流特性の一例を示す図である。
【図９】上記第１光センサ１または上記第２光センサ２と、上記光源判別装置の光源判別装置制御部との具体的な接続構成の一例を示す図である。
【図１０】上記光源判別装置が実行する光源判別処理の一例を示すフローチャートである。
【図１１】上記表示装置が実行する画質調整処理の一例を示すフローチャートである。
【発明を実施するための形態】
【００２６】
〔本発明の概要〕
上述のように、照明として使用される光源は、一般的に蛍光灯（色温度約５０００Ｋ）または白熱灯（色温度約２８００Ｋ）が多いため、光源が白熱灯か蛍光灯かを判別できれば、視聴環境に応じた画質調整を十分に行うことができる。
【００２７】
ここで、蛍光灯および白熱灯のスペクトル特性を図２に基づいて説明する。図２は、蛍光灯および白熱灯のスペクトル特性の一例を示す図である。図２では、横軸を波長（ｎｍ）とし、３８０ｎｍ〜７８０ｎｍの波長におけるスペクトル特性を示す。また、縦軸を強度とし、蛍光灯および白熱灯のピーク値を１．００として強度値を正規化している。
【００２８】
図２に示すように、蛍光灯は可視領域（３８０ｎｍ〜７８０ｎｍ）内に分光特性を有している。一方、白熱灯は、７８０ｎｍをピークとした可視領域の分光特性を有しており、図示していないが、赤外領域（７８０ｎｍ以上）にも分光感度を有している。このように、蛍光灯および白熱灯の特性が異なるため、この差異を利用することにより、光源が蛍光灯か白熱灯かを判別することができる。
【００２９】
例えば、可視光の分光感度特性を有する照度センサ（光センサ）は、光源が蛍光灯であるか、白熱灯であるかに関わらず、出力が実質的に同じである。一方、可視光および赤外光の分光感度特性を有する照度センサは、光源が蛍光灯であるか、白熱灯であるかによって、出力が異なる。このような２種の照度センサを用いて、その出力を比較することにより、光源が蛍光灯か白熱灯かを判別することができる。
【００３０】
本発明に係る光源判別装置は、光源が蛍光灯タイプであるか、白熱灯タイプであるかに関わらず、出力が実質的に同じである第１光センサの出力と、光源が蛍光灯タイプであるか、白熱灯タイプであるかによって、出力が異なる第２光センサの出力と、に基づいて、光源が蛍光灯タイプか白熱灯タイプかを判別する。そして、光源判別装置は判別結果を表示装置に出力し、表示装置は判別結果に基づいて画質調整を実行する。
【００３１】
本発明によれば、光源判別装置は、簡易な構成および処理によって光源が蛍光灯タイプか白熱灯タイプかを判別することができる。また、表示装置は、簡易な処理で視聴環境に応じた画質調整を十分に行うことができる。すなわち、表示装置のコストの増加を抑制しながら、高機能化を図ることができる。
【００３２】
例えば、従来、安価なモデルのテレビやＰＣモニター等では、１つまたは複数の照度センサが搭載されているものがある。本発明を利用することにより、このような安価なモデルを、コストの増加を抑制しつつ、機能を向上させることができる。
【００３３】
なお、照度センサは、通常、生産ロットや使用部材等のばらつきに対応するため、必要な分光感度特性や光電流特性が一定の範囲に収まるようランク付けを行い納品されている。そのため、所望の分光感度特性および光電流特性を有する照度センサを容易に選択することができる。従来では、照度センサおよび赤外光センサを使用するのに対して、本発明では、所望の分光感度特性および光電流特性を有する２つの照度センサを使用しているため、従来より安価な構成で光源が蛍光灯タイプか白熱灯タイプかを判別することができる。
【００３４】
また、上記の蛍光灯タイプの光源とは、蛍光灯と類似するスペクトル特性を有する光源を意味し、白熱灯タイプの光源とは、白熱灯と類似するスペクトル特性を有する光源を意味する。換言すると、蛍光灯タイプの光源とは、蛍光灯と類似する色温度を有する光源を意味し、白熱灯タイプの光源とは、白熱灯と類似する色温度を有する光源を意味する。
【００３５】
すなわち、本発明では、光源を２つに大別して、蛍光灯タイプか白熱灯タイプかを判別する。そのため、本発明では、蛍光灯および白熱灯だけではなく、その他の光源であっても、スペクトル特性（色温度）に基づいて蛍光灯タイプか白熱灯タイプかを判別し、適切な画質調整を行うことができる。
【００３６】
例えば、その他の光源として、ＬＥＤ（Light Emitting Diode）照明が挙げられる。多くのＬＥＤ照明は、蛍光灯と類似する色温度を有する。つまり、多くのＬＥＤ照明は、蛍光灯タイプとして判別される。
【００３７】
以下に、本発明の一実施形態について図１から図１１に基づいて説明する。
【００３８】
〔光源判別装置の構成〕
まず、光源判別装置の構成について図１に基づいて説明する。図１は、光源判別装置および光源判別装置を搭載した表示装置の要部構成の一例を示すブロック図である。図１に示すように、光源判別装置１０は、第１光センサ１、第２光センサ２、光源判別装置制御部３および光源判別装置記憶部４を備えている。
【００３９】
第１光センサ１は、フォトダイオード１１およびアンプ１２からなり、受光した光を電気信号（例えば、電流値）に変換するものである。第１光センサ１は、生成した電気信号を光源判別装置制御部３に出力する。
【００４０】
第１光センサ１は、可視光の分光感度特性を有する。例えば、第１光センサ１は、図３に示す分光感度特性を有する。図３に示すように、第１光センサ１は、可視光領域の光を受光するが、赤外光領域の光をほぼ受光しない。そのため、図４に示すように、外光の光源が蛍光灯または白熱灯のどちらであっても、第１光センサ１が出力する電気信号の大きさは変わらない。すなわち、第１光センサ１は、蛍光灯および白熱灯に関して、光源依存性を有しない。
【００４１】
第２光センサ２は、フォトダイオード２１およびアンプ２２からなり、受光した光を電気信号（例えば、電流値）に変換するものである。第２光センサ２は、生成した電気信号を光源判別装置制御部３に出力する。
【００４２】
第２光センサ２は、可視光および赤外光の分光感度特性を有する。例えば、第２光センサ２は、図５または図６に示す分光感度特性を有する。図５または図６に示すように、第２光センサ２は、可視光領域の光に加え、赤外光領域の光も受光する。そのため、図７に示すように、同じ照度の光を受光する場合、赤外光を発光する白熱灯を光源とする方が、蛍光灯に比べて、第２光センサ１が出力する電気信号の大きさが大きくなる。すなわち、第２光センサ２は、蛍光灯および白熱灯に関して、光源依存性を有する。
【００４３】
次に、第１光センサ１および第２光センサ２の光電流特性について図８に基づいて説明する。図８は、蛍光灯および白熱灯に対する第１光センサ１および第２光センサ２の光電流特性の一例を示す図である。図８では、縦軸に光センサの出力電流（μＡ）を示し、横軸に光センサの受光部（フォトダイオード）における照度（ｌｘ）を示す。
【００４４】
ここで、基本的に、光センサは、所定の照度値の光を受光すると、その照度に応じた電流を出力するものである。つまり、光センサは、同じ照度の光を受光すると、理想的には常に一定の電流を出力する。また、図８に示すように、光センサの受光部における照度と、光センサの出力電流とは正比例の関係となる。
【００４５】
第１光センサ１は、図８に示すように、蛍光灯に対する光電流特性と白熱灯に対する光電流特性とが実質的に同じである。一方、第２光センサ２は、蛍光灯タイプに対する光電流特性と白熱灯タイプに対する光電流特性とが異なる。これは、白熱灯からは可視光に加えて赤外光も照射されるため、蛍光灯および白熱灯から第２光センサ２に同じ照度の光（可視光領域の光量が同じ光）が照射されたとしても、白熱灯の方が第２光センサ２の出力電流が大きくなるからである。
【００４６】
なお、図８に示す例では、第１光センサ１の光電流特性と、第２光センサ２の蛍光灯タイプに対する光電流特性とが実質的に同じであるが、両者は異なっていてもよい。また、第１光センサ１の光電流特性と、第２光センサ２の白熱灯タイプに対する光電流特性とが実質的に同じであってもよい。
【００４７】
本実施形態では、光センサが受光する光の照度をｘとし、光センサが出力する出力電流をｙとする。そして、第１光センサ１および第２光センサ２の光電流特性を測定し、蛍光灯および白熱灯に対する第１光センサ１の光電流特性関数ｆ（ｙ）と、白熱灯に対する第２光センサ２の光電流特性関数ｇ（ｙ）と、蛍光灯に対する第２光センサ２の光電流特性関数ｈ（ｙ）と、を予め算出する。
【００４８】
具体的には、ｆ（ｙ）＝（１／ａ）×ｙ、ｇ（ｙ）＝（１／ｂ）×ｙ、ｈ（ｙ）＝（１／ｃ）×ｙとすると、各係数１／ａ、１／ｂ、１／ｃをそれぞれ測定により算出する。算出した光電流特性関数ｆ（ｙ）、ｇ（ｙ）およびｈ（ｙ）は、光電流特性データ４１として、光源判別装置記憶部４に格納しておく。
【００４９】
また、第１光センサ１または第２光センサ２と、光源判別装置制御部３との具体的な接続構成を図９に基づいて説明する。図９は、第１光センサ１または第２光センサ２と、光源判別装置制御部３との具体的な接続構成の一例を示す図である。
【００５０】
図９に示すように、第１光センサ１または第２光センサ２は、抵抗Ｒ１および抵抗Ｒ２とそれぞれ接続する。抵抗Ｒ１の他端は、光源判別装置制御部３と接続し、抵抗Ｒ２の他端は接地されている。このように、第１光センサ１または第２光センサ２の出力電流は、抵抗分圧され、光源判別装置制御部３への入力信号は電圧で検知される。
【００５１】
なお、図１に示す例では、光源判別装置１０は、第１光センサ１および第２光センサ２をそれぞれ１つずつ有しているが、これに限るものではなく、第１光センサ１および第２光センサ２をそれぞれ複数有していてもよい。
【００５２】
また、第１光センサ１および第２光センサ２は、いわゆる照度センサである。第１光センサ１および第２光センサ２は、ＲＧＢセンサに比べて安価なＯＰＣセンサで構成されていてもよい。
【００５３】
光源判別装置制御部３は、光源判別装置記憶部４から一時記憶部（不図示）に読み出されたプログラムを実行することにより、各種の演算を行うと共に、光源判別装置１０が備える各部を統括的に制御するものである。
【００５４】
本実施形態では、光源判別装置制御部３は、機能ブロックとして、判別部（判別手段）３１を備える構成である。光源判別装置制御部３の機能ブロック（判別部３１）は、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００５５】
判別部３１は、第１光センサ１の出力値である第１出力値と、第２光センサの出力値である第２出力値とを比較して、光源が蛍光灯タイプか白熱灯タイプかを判別するものである。判別部３１は、判別結果を表示装置制御部５に通知する。
【００５６】
具体的には、判別部３１は、第１光センサ１の光電流関数ｆ（ｙ）に第１出力値を入力し、照度値を算出する。判別部３１は、算出した照度値を判別閾値関数ｋ（ｘ）に入力し、判別閾値を算出する。判別部３１は、第２出力値が算出した判別閾値より大きい場合、光源が蛍光灯タイプであると判定し、第２出力値が算出した判別閾値以下の場合、光源が白熱灯タイプであると判定する。
【００５７】
ここで、判別閾値関数ｋ（ｘ）は、照度値に正比例する関数である。ｋ（ｘ）＝ｄｘとすると、ｄは、ｂ≦ｄ＜ｃを満たす任意の値である。判別閾値関数ｋ（ｘ）は、第２光センサ２の光電流特性に基づいて、予め設定しておき、光源判別装置記憶部４に判別閾値データ４２として格納しておくものである。
【００５８】
また、白熱灯または蛍光灯に対する第１光センサ１および第２光センサ２の光電流特性が実質的に一致する場合、判別部３１は、第１光センサ１の出力値と第２光センサ２の出力値とが異なるか否かで判別してもよい。換言すると、ｆ（ｙ）＝ｇ（ｙ）またはｆ（ｙ）＝ｈ（ｙ）の場合、判別部３１は、第１光センサ１の出力値と第２光センサ２の出力値とが異なるか否かで判別してもよい。
【００５９】
具体的に、図８に示すように、ｆ（ｙ）＝ｈ（ｙ）の場合（ａ＝ｃの場合）で説明する。この場合、判別部３１は、第１出力値と第２出力値とが実質的に同じである場合、光源が蛍光灯タイプであると判定する。一方、判別部３１は、第１出力値と第２出力値とが異なる場合、光源が白熱灯タイプであると判定する。
【００６０】
光源判別装置記憶部４は、光源判別装置制御部３が参照するプログラムやデータ等を格納するものであり、例えば、上記の光電流特性データ４１および判別閾値データ４２等を格納している。
【００６１】
光電流特性データ４１は、上述の光電流特性関数ｆ（ｙ）、ｇ（ｙ）、ｈ（ｙ）を示すデータであるが、これに限るものではなく、例えば、出力電流値と照度値との対応関係を示すテーブルであってもよい。また、判別閾値データ４２は、上述の判別閾値関数ｋ（ｘ）を示すデータであるが、これに限るものではなく、例えば、照度値と判別閾値の対応関係を示すテーブルであってもよい。
【００６２】
〔表示装置の構成〕
次に、光源判別装置１０を搭載した表示装置２０の構成について図１に基づいて説明する。表示装置２０は、画像を表示する装置であり、例えば、デジタルテレビ、ＰＣモニター、携帯電話機、ＰＤＡ（Personal Digital Assistant）、ゲーム機、電子黒板、デジタルカメラ、ビデオカメラ等である。なお、表示装置２０を備えたテレビジョン受像機も本明細書に記載された発明の範疇に含まれる。
【００６３】
図１に示すように、表示装置２０は、光源判別装置１０、表示装置制御部５、表示装置記憶部６および表示部７を備えている。なお、表示装置２０は、操作部、通信部、音声入力部、音声出力部等の部材を備えていてもよいが、発明の特徴点とは関係がないため当該部材を図示していない。
【００６４】
表示部７は、表示装置制御部５の指示に従って画像を表示するものである。表示部７は、表示装置制御部５の指示に従って画像を表示するものであればよく、例えば、ＬＣＤ（液晶ディスプレイ）、有機ＥＬディスプレイ、プラズマディスプレイなどを適用することが可能である。
【００６５】
表示装置制御部５は、表示装置記憶部６から一時記憶部（不図示）に読み出されたプログラムを実行することにより、各種の演算を行うと共に、表示装置２０が備える各部を統括的に制御するものである。
【００６６】
本実施形態では、表示装置制御部５は、機能ブロックとして、ＯＳＤ出力部５１および画質調整部（画質調整手段）５２を備える構成である。これらの表示装置制御部５の各機能ブロック（５１および５２）は、ＣＰＵが、ＲＯＭ等で実現された記憶装置に記憶されているプログラムをＲＡＭ等で実現された一時記憶部に読み出して実行することで実現できる。
【００６７】
ＯＳＤ出力部５１は、判別部３１から判別結果を受信し、受信した判別結果を表示部７に表示させるものである。また、ＯＳＤ出力部５１は、判別部３１からさらに照度値を取得し、取得した照度値を表示部７に表示させてもよい。さらに、ＯＳＤ出力部５１は、画質調整部５２から画質調整結果を取得して、取得した画質調整結果を表示部７に表示させてもよい。
【００６８】
画質調整部５２は、判別部３１から判別結果を受信し、受信した判別結果に基づいて、画質モードを蛍光灯モードまたは白熱灯モードに切り替えて表示部７が出力する画像の画質を調整するものである。
【００６９】
具体的には、画質調整部５２は、判別部３１から光源が蛍光灯タイプであることを示す通知を受信すると、表示装置記憶部６から蛍光灯モードデータ６１を読み出し、蛍光灯モードデータ６１の示す色温度等に基づいて、表示部７が出力する画像の画質を調整する。一方、判別部３１から光源が白熱灯タイプであることを示す通知を受信すると、表示装置記憶部６から白熱灯モードデータ６２を読み出し、白熱灯モードデータ６２の示す色温度等に基づいて、表示部７が出力する画像の画質を調整する。
【００７０】
表示装置記憶部６は、表示装置制御部５が参照するプログラムやデータ等を格納するものであり、例えば、上記の蛍光灯モードデータ６１、白熱灯モードデータ６２等を格納している。蛍光灯モードデータ６１は、蛍光灯モードで表示するための色温度等を示すデータである。また、白熱灯モードデータ６２は、白熱灯モードで表示するための色温度等を示すデータである。
【００７１】
なお、本実施形態では、表示装置２０がメインマイコンである表示装置制御部５と、サブマイコンである光源判別装置制御部３とを別体として備えているが、これに限るものではなく、表示装置制御部５と、光源判別装置制御部３とが一体であってもよい。この場合、さらに、表示装置記憶部６と、光源判別装置記憶部４とが一体となっていてもよい。
【００７２】
また、本実施形態では、光源判別装置１０が表示装置２０に搭載され一体となっているが、これに限るものではなく、光源判別装置１０と表示装置２０とは別体であってもよい。
【００７３】
〔光源判別装置の光源判別処理〕
次に、光源判別装置１０が実行する光源判別処理について図１０に基づいて説明する。図１０は、光源判別装置１０が実行する光源判別処理の一例を示すフローチャートである。
【００７４】
図１０に示すように、判別部３１は、第１光センサ１から第１出力値を取得すると共に、第２光センサ２から第２出力値を取得する（Ｓ１）。判別部３１は、取得した第１出力値を第１光センサ１の光電流関数ｆ（ｙ）に入力して、照度値を算出する（Ｓ２）。判別部３１は、算出した照度値を判別閾値関数ｋ（ｘ）に入力し、判別閾値を算出する（Ｓ３）。判別部３１は、判別閾値と第２出力値とを比較して、第２出力値が判別閾値より大きい場合、光源が蛍光灯タイプであると判定し、第２出力値が判別閾値以下の場合、光源が白熱灯タイプであると判定する（Ｓ４）。判別部３１は、判別結果を画質調整部５２に出力する（Ｓ５）。
【００７５】
〔表示装置の画質調整処理〕
次に、表示装置２０が実行する画質調整処理について図１０に基づいて説明する。図１１は、表示装置２０が実行する画質調整処理の一例を示すフローチャートである。
【００７６】
図１１に示すように、画質調整部５２は、判別部３１から判別結果を取得する（Ｓ１１）。画質調整部５２は、受信した判別結果に基づいて、画質モードを切り替えて表示部７が出力する画像の画質を調整する（Ｓ１２）。
【００７７】
このように、表示装置２０が光源判別装置１０の判別結果に基づいて、画質を調整することにより、ユーザが照明が蛍光灯タイプであるか白熱灯タイプであるかを判断して、手動で画質を調整することなく、照明のタイプに応じて自動で画質を調整することができる。
【００７８】
〔補足〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７９】
最後に、光源判別装置１０および表示装置２０の各ブロック、特に光源判別装置制御部３および表示装置制御部５は、ハードウェアロジックによって構成してもよいし、次のようにＣＰＵを用いてソフトウェアによって実現してもよい。
【００８０】
すなわち、光源判別装置１０および表示装置２０置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである光源判別装置１０および表示装置２０の制御プログラムのプログラムコード（実行形式プログラム、中間コードプログラム、ソースプログラム）をコンピュータで読み取り可能に記録した記録媒体を、光源判別装置１０および表示装置２０に供給し、そのコンピュータ（またはＣＰＵやＭＰＵ）が記録媒体に記録されているプログラムコードを読み出し実行することによっても、達成可能である。
【００８１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００８２】
また、光源判別装置１０および表示装置２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８３】
本発明は、例えば、デジタルテレビ、ＰＣ、携帯電話機、ＰＤＡ、ゲーム機、電子黒板、デジタルカメラ、ビデオカメラ等の表示装置に利用することができる。
【符号の説明】
【００８４】
１    第１光センサ
２    第２光センサ
７    表示部
１０    光源判別装置
２０    表示装置
３１    判別部（判別手段）
５２    画質調整部（画像調整手段）
【図１】
2013253852.tif 000003
【図２】
2013253852.tif 000004
【図３】
2013253852.tif 000005
【図４】
2013253852.tif 000006
【図５】
2013253852.tif 000007
【図６】
2013253852.tif 000008
【図７】
2013253852.tif 000009
【図８】
2013253852.tif 000010
【図９】
2013253852.tif 000011
【図１０】
2013253852.tif 000012
【図１１】
2013253852.tif 000013